(57)【要約】【課題】近くにいる携帯端末同士間で、ユーザがごく簡単な操作をトリガとして、またそれほど厳密な認識を行わない手順で、コンテンツを近距離無線通信で受け渡しを行うことができるコンテンツ管理システムおよび同システムの携帯端末を提供する。【解決手段】クライアント携帯端末１００は、ユーザによる撮影操作が行われた時に、シャッタ音などの報知音をスピーカ９から外部へ接続要求として出力する。また、同時に、近距離無線通信部１０およびアンテナ１１の送信電波強度をアップさせる。サーバ携帯端末２００は、マイク２６で周囲の音を集音し、仕様上で定義されたパターンの報知音であるかを認識し、更に、近距離無線通信部２８の受信電波強度が高い場合、クライアント携帯端末１００からの接続要求として認識し、近距離無線通信部２８で接続応答を返し、接続確立を行う。そして、近距離無線通信部２８で画像コンテンツを送信する。【選択図】図１
2008193656.tif 000002
【特許請求の範囲】
【請求項１】
クライアント携帯端末とサーバ携帯端末間で近距離無線通信によるコンテンツの受け渡しを行うコンテンツ管理システムであって、
前記クライアント携帯端末は、
前記サーバ携帯端末と近距離無線通信を行う第１の近距離無線通信手段と、
ユーザ操作を検出して報知出力を空間に出力する報知手段と、
前記報知出力の出力タイミングに略合わせて前記第１の近距離無線通信手段の送信電波強度を上げて、前記サーバ携帯端末と前記無線通信の接続を確立する接続要求手段と、
前記接続確立後に前記第１の近距離無線通信手段が受信した前記サーバ携帯端末から送信されるコンテンツを処理するコンテンツ受信手段とを有し、
前記サーバ携帯端末は、
前記クライアント携帯端末と無線通信を行う第２の近距離無線通信手段と、
前記クライアント携帯端末が出力する前記報知出力を検出する報知検出手段と、
前記報知出力を検出した略近辺のタイミングにおいて、前記第２の近距離無線通信手段の受信電波強度の最も高いクライアント携帯端末または前記第２の近距離無線通信手段の受信電波強度が所定量上昇したクライアント携帯端末と接続を確立する接続応答手段と、
前記接続を確立したクライアント携帯端末へ前記第２の近距離無線通信手段によりコンテンツを送信するコンテンツ送信手段とを
具備することを特徴とするコンテンツ管理システム。
【請求項２】
クライアント携帯端末とサーバ携帯端末間で近距離無線通信によるコンテンツの受け渡しを行うコンテンツ管理システムであって、
前記クライアント携帯端末は、
前記サーバ携帯端末と近距離無線通信を行う第１の近距離無線通信手段と、
ユーザ操作の種類に応じて異なる種類の報知出力を空間に出力する報知手段と、
前記報知出力の出力タイミングに対して前記異なる種類の報知出力に対応した所定時間後に、前記近距離無線通信でコンテンツ要求信号を送信してコンテンツ要求の確立を行う接続要求手段と、
前記コンテンツ要求確立後に前記第１の近距離無線通信手段が受信した前記サーバ携帯端末から送信されるコンテンツを処理するコンテンツ受信手段とを有し、
前記サーバ携帯端末は、
前記クライアント携帯端末と無線通信を行う第２の近距離無線通信手段と、
前記クライアント携帯端末が出力する前記報知出力およびその種類を検出する報知検出手段と、
前記報知出力の種類を検出したタイミングに対して、当該種類に対応した所定時間後近辺において前記コンテンツ要求信号を受信した場合にコンテンツ応答の確立を行う接続応答手段と、
前記接続を確立したクライアント携帯端末へ前記第２の近距離無線通信手段によりコンテンツを送信するコンテンツ送信手段とを
具備することを特徴とするコンテンツ管理システム。
【請求項３】
前記クライアント携帯端末の報知手段が出力する報知出力は、撮影操作に伴うシャッタ音、録音操作に伴う報知用操作音のいずれかであり、
前記サーバ携帯端末の報知検出手段は、前記撮影操作に伴うシャッタ音、録音操作に伴う報知用操作音のいずれかを検出することを特徴とする請求項１に記載のコンテンツ管理システム。
【請求項４】
前記クライアント携帯端末は、更に、
前記撮影操作により撮影した画像または前記録音操作により録音した音声を記憶するメモリを有し、
前記撮影操作または録音操作により前記サーバ携帯端末から前記コンテンツを受信した場合に、前記メモリに記憶された内容を削除して当該コンテンツに置き換えることを特徴とする請求項３に記載のコンテンツ管理システム。
【請求項５】
前記サーバ携帯端末は、更に、
画像を表示する表示手段と、
音声を出力するスピーカとを有し、
前記コンテンツは、前記報知出力を検出したときに前記表示手段が表示している画像または、前記報知出力を検出したときに前記スピーカが出力している音声のいずれか少なくとも１つのコンテンツであることを特徴とする請求項１に記載のコンテンツ管理システム。
【請求項６】
前記サーバ携帯端末は、更に、
画像を表示する表示手段と、
音声を出力するスピーカとを有し、
前記クライアント携帯端末の報知手段が出力する報知出力は、撮影操作に伴う報知出力および録音操作に伴う報知出力であり、
前記サーバ携帯端末の報知検出手段は、前記撮影操作に伴う報知出力および録音操作に伴う報知出力を検出し、
前記サーバ携帯端末のコンテンツ送信手段は、前記撮影操作に伴う報知出力を検出したときに前記表示手段が表示していた画像のコンテンツを前記第２の近距離無線通信手段により前記クライアント携帯端末へ送信させ、前記録音操作に伴う報知出力を検出したときに前記スピーカが出力していた音声のコンテンツを前記第２の近距離無線通信手段により前記クライアント携帯端末へ送信させることを特徴とする請求項１に記載のコンテンツ管理システム。
【請求項７】
請求項１乃至６のいずれか１項に記載の前記クライアント携帯端末または前記サーバ携帯端末であることを特徴とするコンテンツ管理システムの携帯端末。
【請求項８】
クライアント携帯端末とサーバ携帯端末間で近距離無線通信によるコンテンツの受け渡しを行うコンテンツ管理システムであって、
前記クライアント携帯端末は、
コンテンツのメタデータを要求操作する第１の操作手段と、
コンテンツの本体データを要求操作する第２の操作手段と、
画像を表示する第１の表示手段と、
前記コンテンツを記憶するコンテンツ記憶手段と、
前記サーバ携帯端末と近距離無線通信を行う第１の近距離無線通信手段と、
前記第１の操作手段の操作を検出して第１の報知出力を空間に出力し、当該第１の操作に引き続く前期第２の操作手段の操作を検出して第２の報知出力を空間に出力する報知手段と、
前記第１の報知出力の出力タイミングに略合わせて前記第１の近距離無線通信手段の送信電波強度を上げて、前記サーバ携帯端末と前記無線通信の接続を確立する接続要求手段と、
接続確立後に前記第１の近距離無線通信手段が受信した前記サーバ携帯端末から送信されるコンテンツメタデータを前記第１の表示手段に表示させ、前記第２の報知出力後に前記第１の近距離無線通信手段が受信した前記サーバ携帯端末から送信されるコンテンツ本体データを前記コンテンツ記憶手段に保存処理するコンテンツ受信手段とを有し、
前記サーバ携帯端末は、
前記クライアント携帯端末と無線通信を行う第２の近距離無線通信手段と、
前記クライアント携帯端末が出力する前記第１の報知出力および第２の報知出力を検出する報知検出手段と、
前記第１の報知出力を検出した略近辺のタイミングにおいて、前記第２の近距離無線通信手段の受信電波強度の最も高いクライアント携帯端末または前記第２の近距離無線通信手段の受信電波強度が所定量上昇したクライアント携帯端末と接続を確立する接続応答手段と、
前記第１の報知出力を検出して接続を確立したクライアント携帯端末へ前記第２の近距離無線通信手段によりコンテンツメタデータを送信し、前記第２の報知出力を検出して当該クライアント携帯端末へ前記第２の近距離無線通信手段によりコンテンツ本体データを送信するコンテンツ送信手段とを
具備することを特徴とするコンテンツ管理システム。
【請求項９】
前記サーバ携帯端末は、更に、
画像を表示する第２の表示手段を有し、
前記コンテンツ送信手段は、
前記第１の報知出力を検出した時の前記第２の表示手段に表示していた画像のコンテンツメタデータを送信し、前記第２の報知出力を検出した時に、前記第１の報知出力を検出した時の前記第２の表示手段に表示していた画像のコンテンツの本体データを送信することを特徴とする請求項８に記載のコンテンツ管理システム。
【請求項１０】
前記サーバ携帯端末は、更に、
音声を出力するスピーカを有し、
前記コンテンツ送信手段は、
前記第１の報知出力を検出した時の前記スピーカが出力していた音声のコンテンツメタデータを送信し、前記第２の報知出力を検出した時に、前記第１の報知出力を検出した時の前記スピーカが出力していた音声のコンテンツの本体データを送信することを特徴とする請求項８に記載のコンテンツ管理システム。
【請求項１１】
前記第１の操作手段は、カメラ撮影時のフォーカス処理用の操作手段であり、
前記際２の操作手段は、前記フォーカス処理用の操作に引き続いて操作される撮影確定手段であることを特徴とする請求項８に記載のコンテンツ管理システム。
【請求項１２】
請求項８乃至１１のいずれか１項に記載の前記クライアント携帯端末または前記サーバ携帯端末であることを特徴とするコンテンツ管理システムの携帯端末。
【発明の詳細な説明】
【技術分野】
【０００１】
本発明は、携帯端末同士が近距離無線通信でコンテンツの受け渡しを行うコンテンツ管理システムおよび同システムの携帯端末に関する。
【背景技術】
【０００２】
ＢＴ（Bluetooth（Ｒ））通信機能を備えた情報交換装置（携帯電話）およびキャッシュレジスタ装置がある（例えば、特許文献１参照。）。このキャッシュレジスタ装置は、コンビニやスーパーのレジに設置され、買い物客が所有する携帯電話との間で、レジにおいて、ＢＴ通信機能による代金の支払いや値引きサービスなどに使用される。
【０００３】
この特許文献１に記載されている課題として、コンビニやスーパー内に複数のＢＴ携帯電話が存在する状況において、これから支払いを行う客のＢＴ携帯電話を探索することは、ＢＴ通信の仕様上、数１０秒要し、混雑するレジでは問題となるとある。
【０００４】
その探索を短縮する解決策として、ＢＴ通信によらない４つの探索方法が段落番号［００４７］［図１〜図４］に提案されており、（１）携帯電話に貼り付けられたＢＴのＩＤバーコードをキャッシュレジスタ装置のバーコードリーダで読み取る。（２）携帯電話から無線タグで送信されるＢＴのＩＤをキャッシュレジスタ装置で受信。（３）携帯電話からＩｒＤＡ（赤外線）で送信されるＢＴのＩＤをキャッシュレジスタ装置で受信。（４）携帯電話の表示部に表示されるＢＴのＩＤをキャッシュレジスタ装置のカメラで読み撮って認識する。
【０００５】
以上のいずれかの方法により、これから支払いを行う客のＢＴ携帯電話が探索された後は、それをトリガとして、ＢＴ通信に移行してリンク確立とコネクション確立を行い、ＢＴ通信機能による代金の支払いや値引きサービスなどが行われる。
【特許文献１】特開２００２−６３６５２号公報（第２〜６頁、図１〜図４）
【発明の開示】
【発明が解決しようとする課題】
【０００６】
携帯端末同士がごく簡単にコンテンツの受け渡しを行いたい状況がある。例えば、ユーザＡが友人のユーザＢと会っているフェース・トゥー・フェースのような状況で、ユーザＡは、ユーザＢの所有する携帯端末の表示画面の画像を見て、その画像コンテンツをユーザＡとユーザＢの携帯端末間で簡単に入手したいと思う場合などである。そのような場合に対して背景技術に記載の方法を適用すると、探索のために、専用のバーコードリーダやその他の機能が必要である。また、ＢＴ通信機能による代金の支払いや値引きサービスなどが行われるが、そのサービス内容の選択は、その都度、ユーザが操作する必要がある。
【０００７】
本発明は、近くにいる携帯端末同士間で、ユーザがごく簡単な操作をトリガとして、またそれほど厳密な認識を行わない手順で、コンテンツを近距離無線通信で受け渡しを行うことができるコンテンツ管理システムおよび同システムの携帯端末を提供することを目的とする。
【課題を解決するための手段】
【０００８】
上記目的を達成するために、本発明のコンテンツ管理システムは、クライアント携帯端末とサーバ携帯端末間で近距離無線通信によるコンテンツの受け渡しを行うコンテンツ管理システムであって、前記クライアント携帯端末は、前記サーバ携帯端末と近距離無線通信を行う第１の近距離無線通信手段と、ユーザ操作を検出して報知出力を空間に出力する報知手段と、前記報知出力の出力タイミングに略合わせて前記第１の近距離無線通信手段の送信電波強度を上げて、前記サーバ携帯端末と前記無線通信の接続を確立する接続要求手段と、前記接続確立後に前記第１の近距離無線通信手段が受信した前記サーバ携帯端末から送信されるコンテンツを処理するコンテンツ受信手段とを有し、前記サーバ携帯端末は、前記クライアント携帯端末と無線通信を行う第２の近距離無線通信手段と、前記クライアント携帯端末が出力する前記報知出力を検出する報知検出手段と、前記報知出力を検出した略近辺のタイミングにおいて、前記第２の近距離無線通信手段の受信電波強度の最も高いクライアント携帯端末または前記第２の近距離無線通信手段の受信電波強度が所定量上昇したクライアント携帯端末と接続を確立する接続応答手段と、前記接続を確立したクライアント携帯端末へ前記第２の近距離無線通信手段によりコンテンツを送信するコンテンツ送信手段とを具備することを特徴とする。
【発明の効果】
【０００９】
本発明によれば、近くにいる携帯端末同士間で、ユーザがごく簡単な操作で、またそれほど厳密な認識を行わない手順で、コンテンツを近距離無線通信で受け渡しを行うことが可能となる。
【発明を実施するための最良の形態】
【００１０】
各実施例について以下説明する。
【実施例１】
【００１１】
図１は、本発明の実施例１に係るコンテンツ管理のシステム図である。コンテンツ管理システムは、クライアント携帯端末１００と、サーバ携帯端末２００とを有する。クライアント携帯端末１００は、サーバ携帯端末２００が有する画像コンテンツや音声コンテンツを要求する。サーバ携帯端末２００は、その要求に対して簡単な認証を行い、画像コンテンツや音声コンテンツをクライアント携帯端末１００へ供給する。
【００１２】
クライアント携帯端末１００は、操作キー１、カメラ２、画像処理部３、録画メモリ４、マイクロホン５、音声処理部６、録音メモリ７、操作報知音作成部８、スピーカ９、近距離無線通信部１０、アンテナ１１、接続要求部１２、コンテンツ受信部１３などにより構成される。
【００１３】
操作キー１は、数字キーや機能キーからなるユーザ操作用のキーを備えており、画像撮影時のシャッターキーや、音声録音時の録音キーを有する。カメラ２により撮影した画像は、画像処理部３により処理されて、録画メモリ４に記録される。マイクロホン５により集音された音声は、音声処理部６より処理されて、録音メモリ７に記録される。
【００１４】
操作報知音作成部８は、ユーザによる画像撮影操作や音声録音操作が行われたことをクライアント携帯端末１００の外部に報知するための音声を作成する。例えば、画像撮影操作であればシャッタ音であり、音声録音操作であれば何らかの操作音であり、操作内容により異なる報知音を作成する。スピーカ９は、それを外部に報知する。
【００１５】
近距離無線通信部１０は、Bluetooth（Ｒ）通信や、無線ＬＡＮや、その他の近距離無線通信のいずれか１つの機能を備える。アンテナ１１は、近距離無線通信用の電波の送信受信を行う。
【００１６】
接続要求部１２は、ユーザによる画像撮影操作や音声録音操作が行われた時に、操作報知音作成部８およびスピーカ９により、シャッタ音や録音操作音などの報知音として外部に報知させる。これは、操作を行ったユーザに報知するためでもあり、また、（特に本発明に関連して、）サーバ携帯端末２００に対しても報知音として報知される。
【００１７】
この報知音は、予め、クライアント携帯端末１００とサーバ携帯端末２００との間の報知音として、報知音のパターンが仕様上で定義された音であり、クライアント携帯端末１００がサーバ携帯端末２００に対して、近距離無線通信の接続要求をこの報知音で行うためのものである。また、接続要求部１２は、この外部への報知タイミングに合わせて、近距離無線通信部１０およびアンテナ１１の送信電波強度をアップさせる。  
コンテンツ受信部１３は、サーバ携帯端末２００から送信されて近距離無線通信部１０が受信したコンテンツを処理する。
【００１８】
一方、コンテンツを供給するサーバ携帯端末２００は、画像ファイル２１、表示部２２、音声ファイル２３、音声処理部２４、スピーカ２５、マイクロホン２６、報知音認識部２７、近距離無線通信部２８、アンテナ２９、接続応答部３０、コンテンツ送信部３１などにより構成される。
【００１９】
画像ファイル２１は、静止画、音声込みの動画などのコンテンツが保存されている。表示部２２は、これらの画像やその他の画像を表示する。音声ファイル２３は、音楽やその他の音声などのコンテンツが保存されている。音声処理部２４は、それを処理して、スピーカ２５から外部へ出力される。
【００２０】
マイクロホン２６は、周囲の音を集音する。報知音認識部２７は、仕様上で定義されたパターンの報知音であるかを認識する。特定のパターンの報知音の認識技術としては、例えば、特開２００５−１９６５３９号の段落番号［００２１〜００２２］［００２９］などに詳しく記載されており、本発明の実施形態ではその詳細を省略する。
【００２１】
近距離無線通信部２８は、Bluetooth（Ｒ）通信や、無線ＬＡＮや、その他の近距離無線通信のいずれか１つの機能を備える。アンテナ２９は、近距離無線通信用の電波の送信受信を行う。
【００２２】
接続応答部３０は、報知音が認識され、さらに、近距離無線通信部２８の受信電波強度が高い場合などを、クライアント携帯端末１００からの接続要求として認識し、近距離無線通信部２８で接続応答を返し、接続確立を行う。そして、コンテンツ送信部３１は、近距離無線通信部２８でコンテンツを送信する。
【００２３】
次に、コンテンツ管理のシーケンス１について詳しく説明する。  
図２は、本発明の実施例１に係るコンテンツ管理システムのシーケンス１を説明する図であり、クライアント携帯端末１００およびサーバ携帯端末２００のフローチャートを対比させて示す。クライアント携帯端末１００は、主に、接続要求部１２、コンテンツ受信部１３などの処理をまとめて示す。サーバ携帯端末２００は、主に、接続応答部３０、コンテンツ送信部３１などの処理をまとめて示す。
【００２４】
クライアント携帯端末１００の接続要求部１２は、ユーザのシャッタボタンを押すなどの撮影操作が検知されると(ステップＳ１でＹＥＳ)、所定の仕様のシャッタ音を外部へ報知する（ステップＳ２）。そして、撮影操作に伴って撮影された任意の画像を録画メモリに記憶する。これは、撮影に伴う本来の画像記憶処理である（ステップＳ３）。所定の仕様のシャッタ音は、サーバ携帯端末２００に対する接続要求である。また、接続要求部１２は、近距離無線通信部１０の近距離無線通信の送信電波強度をアップする（ステップＳ４）。これも、サーバ携帯端末２００に対する接続要求である。
【００２５】
これに対して、サーバ携帯端末２００の報知音認識部２７は、マイクロホン２６で集音し音声処理部２４で音声処理された音声データが所定の仕様のシャッタ音であることを認識して（ステップＳ２１でＹＥＳ）、接続応答部３０に通知する。接続応答部３０は、このとき近距離無線通信部２８が受信した電波強度が卓越して高いかをチェックする（ステップＳ２２）。ＹＥＳであれば、接続応答部３０は、クライアント携帯端末１００に対して近距離無線通信部２８により近距離無線通信の接続応答を行い、両者間で接続が確立される（ステップＳ２３、Ｓ５）。
【００２６】
次に、サーバ携帯端末２００のコンテンツ送信部３１は、ステップＳ２１でシャッタ音を認識した時に表示部やスピーカから報知していたコンテンツを示す情報に基づいて、対応する画像ファイルまたは音声ファイルから読み出して、近距離無線通信部２８により近距離無線通信でクライアント携帯端末１００へ送信する（ステップＳ２４）。
【００２７】
クライアント携帯端末１００のコンテンツ受信部１３は、近距離無線通信部１０を経由して画像ファイルのコンテンツを受信し（ステップＳ６）、Ｓ３での録画メモリの撮影画像を破棄して、受信コンテンツに置き換える。これは、ステップＳ１でのユーザの撮影操作が、本来の撮影を意図したものではなく、コンテンツを入手するためのトリガとして使われることによるからである。
【００２８】
本発明の実施例１のシーケンス１によれば、クライアント携帯端末１００とサーバ携帯端末２００が、フェース・トゥー・フェースのような近接した状況で、クライアント携帯端末１００のユーザＡが、ユーザＢの所有するサーバ携帯端末２００の表示画面の画像を見て、その画像コンテンツを簡単に入手したい場合などに、クライアント携帯端末１００のユーザＡは、シャッタボタンを押すなどの撮影操作を行う。この時、ユーザＡがカメラで撮影する画像は何であってもよい。
【００２９】
クライアント携帯端末１００は、この撮影操作をトリガとして接続要求を行うことができる。サーバ携帯端末２００は、電波強度が卓越して高いかの簡単な認識確認を行うので、他のクライアント携帯端末との誤った接続確立を防ぐことができる。また、クライアント携帯端末１００のユーザＡは、サーバ携帯端末２００から受信したコンテンツを、どこに格納するかなどの操作を行うことなく、撮影操作で本来撮影される画像が格納される録画メモリに格納することができる。
【００３０】
図３は、本発明の実施例１に係るコンテンツ管理システムのシーケンス２を説明する図である。シーケンス２では、シーケンス１のような電波強度が卓越して高いかの認識確認ではなく、他の認識確認を行う。図２と異なるステップにはステップ番号にサフィックスを付し、相違点を主に説明する。
【００３１】
クライアント携帯端末１００は、所定の仕様の複数種類のシャッタ音を備えている。接続要求部１２は、撮影操作が検知されると(ステップＳ１でＹＥＳ)、複数種類のシャッタ音の内の１つを外部へ報知する（ステップＳ２ａ）。そして、シャッタ音の種類に対応した所定時間後に、接続要求部１２は、近距離無線通信部１０の近距離無線通信でコンテンツ要求信号を送信する（ステップＳ４ａ）。
【００３２】
これに対して、サーバ携帯端末２００の報知音認識部２７は、マイクロホン２６で集音し音声処理部２４で音声処理された音声データが所定の仕様のシャッタ音の１つであることを認識して（ステップＳ２１ａでＹＥＳ）、接続応答部３０に通知する。接続応答部３０は、シャッタ音の種類に対応した所定時間待ってから、そのタイミング近辺でコンテンツ要求信号が送られて来るかをチェックする（ステップＳ２２ａ）。すなわち、所定時間の前後にチェックすべく時間窓を設けて、その時間窓内にコンテンツ要求信号の立ち上がりがあるかをチェックし、時間窓内であれば（ステップＳ２２ａでＹＥＳ）、クライアント携帯端末１００に対して近距離無線通信部２８により近距離無線通信の接続応答を行い、両者間で接続が確立される（ステップＳ２３、Ｓ５）。
【００３３】
本発明の実施例１のシーケンス２によれば、図２とは異なる方法で、簡単な認識確認を行うことができ、他のクライアント携帯端末との誤った接続確立を防ぐことができる。
【００３４】
なお、図２、図３に共通して、以下のような処理を行ってもよい。  
サーバ携帯端末２００は、ステップＳ２１やＳ２１ａでシャッタ音を認識した時に表示部に表示していた画像コンテンツだけでなく、シャッタ音を認識した時にスピーカから報知していた音楽などの音声コンテンツを音声ファイルから読み出して、クライアント携帯端末１００へ送信してもよい。
【００３５】
また、クライアント携帯端末１００は、撮影操作に伴うシャッタ音のみをトリガとしたが、音声録音操作に伴う録音操作音を発生させて、それをトリガとしてもよい。  
また、サーバ携帯端末２００は、シャッタ音と録音操作音を区別して認識し、シャッタ音を認識した時には、表示部に表示していた画像コンテンツを送信し、録音操作音を認識した時には、スピーカから報知していた音楽などの音声コンテンツを送信するようにしてもよい。すなわち、操作音の種類に応じて、送信すべきコンテンツの種類を選択するようにしてもよい。
【００３６】
また、録音操作音の場合は、受信したコンテンツを、録音操作で本来録音される音声が格納される音声メモリに格納するようにしてもよい。  
また、シャッタ音や録音操作音などの音だけではなく、ユーザ操作に伴い、光や磁気などの空中を伝播するもので報知するようにしてもよい。
【実施例２】
【００３７】
図４は、本発明の実施例２に係るコンテンツ管理のシステム図である。実施例１に対して表示部１４が追加になっている。コンテンツ管理システムは、クライアント携帯端末１００と、サーバ携帯端末２００とを有する。クライアント携帯端末１００は、サーバ携帯端末２００が有する画像コンテンツや音声コンテンツを要求する。サーバ携帯端末２００は、その要求に対して簡単な認証を行い、画像コンテンツや音声コンテンツをクライアント携帯端末１００へ供給する。
【００３８】
［クライアント携帯端末１００］
クライアント携帯端末１００は、操作キー１、カメラ２、画像処理部３、録画メモリ４、マイクロホン５、音声処理部６、録音メモリ７、操作報知音作成部８、スピーカ９、近距離無線通信部１０、アンテナ１１、接続要求部１２、コンテンツ受信部１３、表示部１４などにより構成される。
【００３９】
操作キー１は、数字キーや機能キーからなるユーザ操作用のキーを備えており、画像撮影時のシャッターキーや、音声録音時の録音キーを有する。シャッターキーは、同一構造の中に、途中まで押下された時点でフォーカス合わせと、最後まで押下されると撮影確定との組になっている。録音キーも、例えば、録音のための入力録音レベルの調整動作と、録音開始確定との組になっている。
【００４０】
カメラ２により撮影した画像は、画像処理部３により処理されて、録画メモリ４に記録される。マイクロホン５により集音された音声は、音声処理部６より処理されて、録音メモリ７に記録される。
【００４１】
操作報知音作成部８は、ユーザによる画像撮影操作や音声録音操作が行われたことをクライアント携帯端末１００の使用者や、サーバ携帯端末２００に報知するための音声を作成する。例えば、画像撮影操作であればシャッタ音であり、音声録音操作であれば録音操作音であり、操作内容により異なる報知音を作成する。
【００４２】
例えば、操作キー１のシャッターキーが押下された場合、押下状態に応じて２つの意味があり、途中まで押下されると操作報知音作成部８は、例えば、「ピ、ピ、ピ、ピ」という音をスピーカ９から発してフォーカス中であることをユーザに報知する。さらに、シャッターキーを最後まで押し下げると、操作報知音作成部８は、例えば、「カシャ」という擬似シャッター音をスピーカ９から発してユーザに報知し、カメラ２の撮影機能が実行されて録画メモリ４に録画される。
【００４３】
一方、操作キー１の録音キーが押下された場合、押下状態に応じて２つの意味があり、途中まで押下されると、操作報知音作成部８は、例えば、「ブ、ブ、ブ、ブ」という音をスピーカ９から発して、録音のための入力録音レベルの調整中であることをユーザに報知する。さらに、音声録音キーを最後まで押し下げると、操作報知音作成部８は、例えば、「ガチャ」という擬似録音開始音をスピーカ９から発して、ユーザに報知し、音声処理部６は、マイク５からの集音の録音メモリ７への録音を開始する。
【００４４】
なお、シャッターキーや録音キーは、途中まで押下されたか最後まで押し下げられたかで２通りの意味を持っているが、例えば、途中まで押下という検出ができないキーでは、１回目の押下で準備、それから短時間内の２回目の押下で決定という意味を持つようにしてもよい。また、２つの組になったキーの一方で準備、他方で決定というようにしてもよい。
【００４５】
近距離無線通信部１０は、Bluetooth（Ｒ）通信や、無線ＬＡＮや、その他の近距離無線通信のいずれか１つの機能を少なくとも備える。アンテナ１１は、近距離無線通信用の電波の送信受信を行う。
【００４６】
接続要求部１２は、ユーザによる画像撮影操作や音声録音操作が行われた時に、操作報知音作成部８、音声処理部６およびスピーカ９により、シャッタ音や録音操作音などの報知音として外部に報知させる。これは、操作を行ったユーザに報知するためでもあり、また、サーバ携帯端末２００に意図的に通知する報知音としても利用される。
【００４７】
この報知音は、予め、クライアント携帯端末１００とサーバ携帯端末２００との間の報知音として、報知音のパターンが仕様上で定義された音であり、クライアント携帯端末１００がサーバ携帯端末２００に対して、近距離無線通信の接続要求をこの報知音で行うためのものである。また、接続要求部１２は、この外部への報知タイミングに合わせて、近距離無線通信部１０およびアンテナ１１の送信電波強度をアップさせる。
【００４８】
コンテンツ受信部１３は、サーバ携帯端末２００から送信されて近距離無線通信部１０が受信したコンテンツメタデータやコンテンツ本体データを処理する。  
表示部１４は、コンテンツメタデータの表示などを行なう。
【００４９】
［サーバ携帯端末２００］
一方、コンテンツを供給するサーバ携帯端末２００は、画像メモリ２１、表示部２２、音声メモリ２３、音声処理部２４、スピーカ２５、マイクロホン２６、報知音認識部２７、近距離無線通信部２８、アンテナ２９、接続応答部３０、コンテンツ送信部３１などにより構成される。
【００５０】
画像メモリ２１には、静止画、音声データを伴う動画などのコンテンツ本体と、そのコンテンツ本体に関するタイトル、作者、再生時間等のメタデータとを含む画像ファイルが保存されている。表示部２２は、画像ファイルの画像やその他の画像を表示する。
【００５１】
音声メモリ２３は、音楽やその他の音声などのコンテンツ本体と、そのコンテンツ本体に関するタイトル、作者、再生時間等のメタデータとを含む音声ファイルが保存されている。音声処理部２４は、この音声ファイルを処理して、スピーカ２５から外部へ出力される。
【００５２】
マイクロホン２６は、周囲の音を集音する。報知音認識部２７は、仕様上で定義されたパターンの報知音であるかを認識する。特定のパターンの報知音の認識技術としては、例えば、特開２００５−１９６５３９号の段落番号［００２１〜００２２］［００２９］などに詳しく記載されており、本発明の実施形態ではその詳細を省略する。
【００５３】
近距離無線通信部２８は、Bluetooth（Ｒ）通信や、無線ＬＡＮや、その他の近距離無線通信のいずれか１つの機能を備える。アンテナ２９は、近距離無線通信用の電波の送信受信を行う。
【００５４】
接続応答部３０は、報知音が認識され、さらに、近距離無線通信部２８で受信する無線信号の受信電波強度が高い場合などを、クライアント携帯端末１００からの接続要求として認識し、近距離無線通信部２８で接続応答を返し、接続確立を行う。そして、コンテンツ送信部３１は、近距離無線通信部２８でコンテンツのメタデータおよびコンテンツ本体を送信する。
【００５５】
次に、コンテンツ管理のシーケンスについて詳しく説明する。  
図５は、本発明の実施例２に係るコンテンツ管理システムのシーケンスを説明する図であり、クライアント携帯端末１００およびサーバ携帯端末２００のフローチャートを対比させて示す。
【００５６】
クライアント携帯端末１００の接続要求部１２は、ユーザのシャッターキーを途中まで押すなどの撮影フォーカス操作を検知すると(ステップＳ３１でＹＥＳ)、操作報知音作成部８に所定の仕様のフォーカス音を作成させて、音声処理部６を経て、スピーカ９により外部へ報知する（ステップＳ３２）。所定の仕様のフォーカス音は、サーバ携帯端末２００に対する接続要求である。また、接続要求部１２は、近距離無線通信部１０の近距離無線通信の送信電波強度をアップする（ステップＳ３３）。これも、サーバ携帯端末２００に対する接続要求である。
【００５７】
これに対して、サーバ携帯端末２００の報知音認識部２７は、マイクロホン２６で集音し音声処理部２４で音声処理された音声データが所定の仕様のフォーカス音であるかを認識して（ステップＳ５１でフォーカス音）、接続応答部３０に通知する。接続応答部３０は、このとき近距離無線通信部２８が受信した電波強度が卓越して高いかをチェックする（ステップＳ５２）。ＹＥＳであれば、接続応答部３０は、クライアント携帯端末１００に対して近距離無線通信部２８により近距離無線通信の接続応答を行い、両者間で接続が確立される（ステップＳ５３、Ｓ３４）。
【００５８】
次に、サーバ携帯端末２００のコンテンツ送信部３１は、ステップＳ５１でフォーカス音を認識した時に表示部やスピーカから報知していたコンテンツを示す情報に基づいて、対応する画像ファイルまたは音声ファイルのメタデータを画像メモリ２１や音声メモリ２３から読み出して、近距離無線通信部２８により近距離無線通信でクライアント携帯端末１００へ送信する（ステップＳ５４）。
【００５９】
クライアント携帯端末１００のコンテンツ受信部１３は、近距離無線通信部１０を経由して画像ファイルまたは音声ファイルのメタデータを受信し（ステップＳ３５）、それを表示部１４に表示する（ステップＳ３６）。
【００６０】
クライアント携帯端末１００のユーザは、このメタデータを表示部１４で見て、そのコンテンツ本体データを入手したい場合は、シャッターキーを最後まで押下する。
【００６１】
クライアント携帯端末１００の接続要求部１２は、この撮影確定操作を検出すると（ステップＳ３７）、操作報知音作成部８に所定の仕様の撮影確定音を作成させて、音声処理部６を経て、スピーカ９により外部へ報知する（ステップＳ３８）。そして、画像処理部３は、撮影操作に伴ってカメラ２で撮影された任意の画像を画像処理して、録画メモリ４に記憶する。これは、撮影に伴う本来の画像記憶処理である（ステップＳ３９）。
【００６２】
これに対して、サーバ携帯端末２００の報知音認識部２７は、マイクロホン２６で集音し音声処理部２４で音声処理された音声データが所定の仕様の撮影確定音であるかを認識して（ステップＳ５５で撮影確定音）、接続応答部３０に通知する。接続応答部３０は、先にステップＳ５１でフォーカス音が認識された時に表示部やスピーカから報知されていた画像ファイルまたは音声ファイルの本体データを、画像メモリ２１や音声メモリ２３から読み出して、近距離無線通信部２８により近距離無線通信でクライアント携帯端末１００へ送信する（ステップＳ５６）。
【００６３】
クライアント携帯端末１００のコンテンツ受信部１３は、近距離無線通信部１０を経由して画像ファイルまたは音声ファイルの本体データを受信し（ステップＳ４０）、ステップＳ３９での録画メモリ４の撮影画像または録音メモリ７の録音音声を破棄して、受信コンテンツに置き換える（ステップＳ４１）。これは、ステップＳ３７でのユーザの撮影操作または録音操作が、本来の撮影または録音を意図したものではなく、コンテンツを入手するためのトリガとして使われることによるからである。
【００６４】
本発明の実施例２によれば、いきなり画像コンテンツの受け渡しを行うのではなく、それに先立って、簡単な操作と手順で画像コンテンツに関するタイトル、作者、再生時間等のメタ情報の受け渡しを行い、それを使用者が確認して、必要であれば、引き続き、簡単な操作と手順で、画像コンテンツの本体の受け渡しを行うことができる。
【図面の簡単な説明】
【００６５】
【図１】本発明の実施例１に係るコンテンツ管理のシステム図。
【図２】本発明の実施例１に係るコンテンツ管理システムのシーケンス１を説明する図。
【図３】本発明の実施例１に係るコンテンツ管理システムのシーケンス２を説明する図。
【図４】本発明の実施例２に係るコンテンツ管理のシステム図。
【図５】本発明の実施例２に係るコンテンツ管理システムのシーケンスを説明する図。
【符号の説明】
【００６６】
１  操作キー
２  カメラ
３  画像処理部
４  録画メモリ
５  マイクロホン
６  音声処理部
７  録音メモリ
８  操作報知音作成部
９  スピーカ
１０  近距離無線通信部
１１  アンテナ
１２  接続要求部
１３  コンテンツ受信部
１４  表示部
２１  画像ファイル
２２  表示部
２３  音声ファイル
２４  音声処理部
２５  スピーカ
２６  マイクロホン
２７  報知音認識部
２８  近距離無線通信部
２９  アンテナ
３０  接続応答部
３１  コンテンツ送信部
１００  クライアント携帯端末
２００  サーバ携帯端末
【図１】
2008193656.tif 000003
【図２】
2008193656.tif 000004
【図３】
2008193656.tif 000005
【図４】
2008193656.tif 000006
【図５】
2008193656.tif 000007